(57)【要約】【課題】  有機ＥＬディスプレイで電源を複数用いることなくカラーバランスを調整する。【解決手段】  複数の行および複数の列に対応させてマトリクス状に配置され、異なる発光色により発光する有機ＥＬ素子を含む複数の有機ＥＬ素子１０と、複数の有機ＥＬ素子を駆動するための発光色毎に設けられた複数の行配線１４と、複数の行配線の少なくともいくつかを、各行配線毎に始期および終期をずらした所定の期間の間、外部電源または接地端子に電気的に接続するための選択手段１８と、外部電源または接地端子に電気的に接続されている行の有機ＥＬ素子を駆動するために、表示データに応じた電流を流すための複数の列配線１２とを有し、発光色毎に、行配線を外部電源または接地端子に電気的に接続する所定の期間を変更可能にすることにより、表示のカラーバランスが調整可能である、カラー有機ＥＬ表示装置１。【選択図】        図１
2006084819.tif 000002
【特許請求の範囲】
【請求項１】
複数の行および複数の列に対応させてマトリクス状に配置され、異なる発光色を有する複数の有機ＥＬ素子と、
同一行にあって同一発光色の有機ＥＬ素子に接続する行配線であって、複数ある行配線と、
前記複数の行配線の少なくともいくつかを、各行配線毎に始期および終期をずらした所定の期間の間、外部電源または接地端子に電気的に接続するための選択手段と、
前記外部電源または接地端子に電気的に接続されている行配線に接続している有機ＥＬ素子を駆動するよう、表示データに応じた電流を同一列にある有機ＥＬ素子に流すための複数の列配線と
を有し、
発光色毎に、前記行配線を外部電源または接地端子に電気的に接続する前記所定の期間が変更可能である、カラー有機ＥＬ表示装置。
【請求項２】
前記発光色には、赤、緑、青を含む、請求項１に記載のカラー有機ＥＬ表示装置。
【請求項３】
第１色に発光する有機ＥＬ素子と第２色に発光する有機ＥＬ素子とを少なくとも含み、複数の行および複数の列に対応させてマトリクス状に配置され、該複数の行のそれぞれには発光色が同じ有機ＥＬ素子が隣り合うように配置され、該複数の列のそれぞれには発光色が異なる有機ＥＬ素子が隣り合うように配置されている、複数の有機ＥＬ素子と、
前記複数の行のそれぞれに含まれる有機ＥＬ素子を駆動するための行配線を各行に対応させて設けてなる複数の行配線と、
前記複数の列のそれぞれに含まれる有機ＥＬ素子を駆動するために、表示データに応じた電流を流す列配線を各列に対応させて設けてなる複数の列配線と、
前記複数の行配線を順次選択し、第１の所定の期間の間、前記第１色の有機ＥＬ素子を駆動する第１の行配線を選択して外部電源または接地端子に電気的に接続し、第１の所定期間に次ぐ第２の所定の期間の間、前記第２色の有機ＥＬ素子を駆動する第２の行配線を選択して外部電源または接地端子に電気的に接続し、前記第１の所定の期間と前記第２の所定の期間とを異なる長さの期間にすることができる選択手段と
を備えるカラー有機ＥＬ表示装置。
【請求項４】
前記複数の有機ＥＬ素子は、第３色に発光する有機ＥＬ素子をさらに含み、
前記選択手段は、前記第２の所定期間に次ぐ第３の所定の期間の間、前記第３色の有機ＥＬ素子を駆動する第３の行配線を外部電源または接地端子に電気的に接続し、前記第３の所定の期間を、前記第１の所定の期間とも前記第２の所定の期間とも異なる長さの期間にすることができ、
前記第１色、第２色、第３色には、赤、緑、青を含む、請求項３に記載のカラー有機ＥＬ表示装置。
【請求項５】
第１色に発光する有機ＥＬ素子と第２色に発光する有機ＥＬ素子とを少なくとも含み、複数の行および複数の列に対応させてマトリクス状に配置され、該行のそれぞれと該列のそれぞれとには、発光色が異なる有機ＥＬ素子が隣り合うように配置されている、複数の有機ＥＬ素子と、
前記複数の行のある行に含まれる前記第１色の有機ＥＬ素子を駆動するための第１の行配線と、当該行に含まれる前記第２色の有機ＥＬ素子を駆動するための第２の行配線とを含む行配線群を各行に対応させて設けてなる複数の行配線群と、
前記複数の列のそれぞれに含まれる有機ＥＬ素子を駆動するために、表示データに応じた電流を流す列配線を各列に対応させて設けてなる複数の列配線と、
前記複数の行配線群のそれぞれの群を、始期および終期をずらして重複する群選択期間を有するように順次選択し、該群選択期間中の第１の所定の期間の間、選択された行配線群の第１の行配線を外部電源または接地端子に電気的に接続し、該群選択期間中の第２の所定の期間の間、選択された行配線群の第２の行配線を外部電源または接地端子に電気的に接続し、前記第１の所定の期間と前記第２の所定の期間とを異なる長さの期間にすることができる、選択手段と
を含むカラー有機ＥＬ表示装置。
【請求項６】
前記複数の有機ＥＬ素子は、第３の発光色の有機ＥＬ素子をさらに含み、
前記複数の行配線群の前記行配線群は、前記行に含まれる前記第３色の有機ＥＬ素子を駆動するための第３の行配線をさらに含み、
前記複数の列配線の前記列配線は、前記列に含まれる前記第３色の有機ＥＬ素子にも表示データに応じた電流を流すものであり、
前記選択手段は、該群選択期間中の第３の所定の期間の間、選択された行配線群の第３の行配線を外部電源または接地端子に電気的に接続するものであり、
前記選択手段は、前記第３の所定の期間を、前記第１の所定の期間とも前記第２の所定の期間とも異なる長さの期間にすることができ、
前記第１色、第２色、第３色には、赤、緑、青を含む、請求項５に記載のカラー有機ＥＬ表示装置。
【請求項７】
前記選択手段は、前記複数の列配線の少なくとも何れかの列配線のそれぞれにより駆動される少なくともいくつかの有機ＥＬ素子を駆動するための各行配線を、互いに重複する期間がないように外部電源または接地端子に電気的に接続するものである、請求項５または６に記載のカラー有機ＥＬ表示装置。
【請求項８】
前記第１の所定の期間と前記第２の所定の期間とのいずれかまたは両方が異なる、請求項３または５に記載のカラー有機ＥＬ表示装置。
【請求項９】
前記第１の所定の期間と前記第２の所定の期間と前記第３の所定の期間のいずれかの期間、いずれか二つの期間、または全ての期間が異なる、請求項４、６、７のいずれかに記載のカラー有機ＥＬ表示装置。
【請求項１０】
前記複数の列配線のそれぞれに接続され、前記表示データに応じた電流を流すための複数の表示電流源をさらに有し、
前記複数の表示電流源のそれぞれは、発光色が異なる有機ＥＬ素子に対して、少なくとも最も明るく発光すべき表示データに対しては同一の電圧源に基づく電流を流すものである、請求項１〜９のいずれかに記載のカラー有機ＥＬ表示装置。
【発明の詳細な説明】
【技術分野】
【０００１】
本発明は、電流駆動型フラットパネルディスプレイ（ＦＰＤ）装置に関し、特に、パッシブマトリクス駆動されるカラー表示の有機エレクトロルミネッセンス（ＥＬ）表示装置に関する。
【背景技術】
【０００２】
高画質・薄型の自発光画像表示装置として、有機ＥＬ素子を平板のマトリクス状に多数並べた有機ＥＬディスプレイが注目を集めている。有機ＥＬ素子は、有機材料から作られる多層薄膜のデバイスであり、電流に応じて発光する。有機ＥＬ素子は、その電圧−電流特性や発光機構が発光ダイオード素子と類似しているため、有機発光ダイオード（有機ＬＥＤ）素子とも呼ばれている。
【０００３】
図７に、有機ＥＬ素子の電圧−電流特性を示す。図では電流が流れる順方向の印加電圧に対する電流特性が模式的に示されており、あるしきい値電圧（Ｖｔｈ）以上の電圧に対して電流が流れる。この有機ＥＬ素子においては、発光輝度が電流にほぼ比例して増加する。また、電圧の向きを逆転した逆バイアスの場合には、殆ど電流は流れない。
【０００４】
この有機ＥＬ素子を表示画素に有する有機ＥＬディスプレイは、駆動方法によってアクティブマトリックス型とパッシブマトリクス型とに分類される。アクティブマトリクス型においては、ポリシリコンやアモルファスシリコンを用いた薄膜トランジスタ（ＴＦＴ）素子等の能動素子によって個々の画素（有機ＥＬ素子）が駆動されるが、パッシブマトリクス型においては、これらの能動素子は用いられず、カラム配線とロウ配線とを組合わせた格子状電極配線によって個々の有機ＥＬ素子が駆動される。
【０００５】
図５に、パッシブマトリクス型の駆動をするカラー有機ＥＬ表示装置５とその駆動回路の原理的な構成を表す。この表示装置５においては、各有機ＥＬ素子の陽極を列配線に接続し、陰極を行配線に接続して、列配線５２と行配線５４を格子状に配線し、列配線と行配線の各交点に有機ＥＬ素子５０が配置されている。行配線５４は、スキャンラインとも呼ばれ、列配線はデータラインとも呼ばれる。図５における電気回路においては、有機ＥＬ素子５０をダイオード記号５１により示している。この有機ＥＬ表示装置５においては、赤（Ｒ）の有機ＥＬ素子５０Ｒ、緑（Ｇ）の有機ＥＬ素子５０Ｇ、青（Ｂ）の有機ＥＬ素子５０Ｂが同一の行内で異なる発光色のものが隣り合うように配置され、同一の列内で同じ発光色のものが隣り合うように配置されており、これらの光の三原色の発光色の有機ＥＬ素子５０を組合わせてカラー表示が得られる。この有機ＥＬディスプレイ５を所望の表示データ応じて発光させて画像表示を得るために、各列配線には電流源５６が備えられている。
【０００６】
パッシブマトリクス方式によって有機ＥＬディスプレイを駆動する際には、通常、線順次走査によって画像を表示する。すなわち行配線５４のうち選択された１行だけを選択するために、例えばスキャンドライバＩＣなどには選択手段５８が備えられている。選択手段５８は、行配線５４を同時にひとつだけ選択して外部の接地端子に接続し、行配線５４に応じて設けられた、例えばスキャンドライバＩＣなどにある出力切替スイッチ５８２を制御する。選択手段５８が順次選択する行配線を所定の期間だけグランドに電気的に接続するので、この期間に、この行に接続している一行分の各画素の有機ＥＬ素子のそれぞれに対して、各列配線に接続された電流源５６を用いて画像データに応じた電流を流すことにより、目的とする発光輝度で各素子を発光させる。このとき、選択されていない他の行の行配線の出力切替スイッチ５８２は、正電源電位（Ｖcc）に接続しておく。これにより、選択されていない行の有機ＥＬ素子に逆バイアス電圧が印加されて、有機ＥＬ素子５０に電流が流れないようにされる。線順次走査においては、選択する行を順次切り替えて一画面全ての行を選択して全画面の画像が表示される。表示データは、例えば８ビット（２５６階調）の階調表示をする場合には、０〜２５５の表示データが与えられ、電流源は、その表示データに応じた電流値の電流を所定の期間出力したり、表示データに応じた期間だけ所定電流値の電流を出力する。
特許文献１には、パッシブマトリクス型有機ＥＬディスプレイの駆動方法が開示されている。
【特許文献１】特開平１１−１４３４２９号公報
【発明の開示】
【発明が解決しようとする課題】
【０００７】
有機ＥＬ素子においては、Ｒ（赤）、Ｇ（緑）、Ｂ（青）の発光色毎に、駆動電流当たりの発光輝度（以下、「電流効率」という）が異なる。このため、例えば、良好な白表示を実現して適切なカラー表示を得るためには、たとえば、図６のように、ＲＧＢ毎の駆動電流値を変更する必要がある。
【０００８】
しかし、ＲＧＢ毎の駆動電流が異なると、ＲＧＢの各有機ＥＬ素子の電流密度が異なってしまう。ここで、電流密度は、有機ＥＬ素子の駆動される面積当たりの駆動電流である。この場合、図７に示したように、電流密度に応じて有機ＥＬ素子の順方向電圧（ＥＬ電圧）が高くなるため、発光色毎に異なる電圧による電流駆動を行なわなくてはならない。ここで、集積回路等により実現される駆動装置の電流源５６に供給する電源は、発光色によらずに共通のものを用いるのが通常であるが、発光色毎にＥＬ電圧を変更する構成とすると、電源の利用効率が悪くなり消費電力が増大する。
【０００９】
また、この弊害を防ぐために有機ＥＬ素子の発光部の面積を各発光色の駆動電流比にあわせたものにし、電流密度を一定にする手法がある。しかしこの場合、電流効率のよい発光色の有機ＥＬ素子は小さく作製する必要があり、製造が困難になる。さらに、非点灯時にパネルが黒ではなく色がついて見える場合がある。例えばＲの発光部の面積を大きくすると、非点灯時に表示装置が赤みに着色する。この現象は白色カラーフィルタ方式などのようにサブピクセル上にカラーフィルタがある場合に顕著である。従ってサブピクセルの面積を発光色の電流効率にあわせて大きく変えることは困難を伴う。
【００１０】
本発明は、上記問題点のうち少なくともいくつかを解決することを課題とする。
【課題を解決するための手段】
【００１１】
本発明においては、カラー有機ＥＬ表示装置において、行配線を外部電源または接地端子に電気的に接続する期間を変更可能にすることにより、カラーバランスを調整する。すなわち、本発明においては、複数の行および複数の列に対応させてマトリクス状に配置され、異なる発光色を有する複数の有機ＥＬ素子と、同一行にあって同一発光色の有機ＥＬ素子に接続する行配線であって、複数ある行配線と、前記複数の行配線の少なくともいくつかを、各行配線毎に始期および終期をずらした所定の期間の間、外部電源または接地端子に電気的に接続するための選択手段と、前記外部電源または接地端子に電気的に接続されている行配線に接続している有機ＥＬ素子を駆動するよう、表示データに応じた電流を同一列にある有機ＥＬ素子に流すための複数の列配線とを有し、発光色毎に、前記行配線を外部電源または接地端子に電気的に接続する前記所定の期間が変更可能である、カラー有機ＥＬ表示装置が提供される。このとき、発光色には赤、緑、青が含まれていることができる。第１色、第２色、第３色に、赤（Ｒ）、緑（Ｇ）、青（Ｂ）を含むと、赤、緑、青の３色を用いてカラー表示が実現し好適である。なお、本発明での赤（Ｒ）、緑（Ｇ）、青（Ｂ）の色は、知覚上のそれぞれの色に認識される発光色を一般に指している。また、本発明においては、発光色が異なる原因や、発光色毎に電流効率が異なる原因は特に問わず、表示装置として実質的異なる発光色や電流効率が実現する場合を広く対象としている。すなわち、有機ＥＬ素子の素子を構成する材料が異なるために発光色や電流効率が異なる場合のみならず、例えば、単体では白色の発光をする有機ＥＬ素子に透過光の一部の波長を吸収、反射等するカラーフィルターを重ねることにより異なる発光色や異なる電流効率が実現する場合や、発光色が短波長の青色の光である場合に、波長変換層を重ねて配置することにより、緑や赤の光を得て、その結果、異なる発光色や異なる電流効率を実現する場合も本発明の対象となる。
【００１２】
また、本発明においては、第１色に発光する有機ＥＬ素子と第２色に発光する有機ＥＬ素子とを少なくとも含み、複数の行および複数の列に対応させてマトリクス状に配置され、該複数の行のそれぞれには発光色が同じ有機ＥＬ素子が隣り合うように配置され、該複数の列のそれぞれには発光色が異なる有機ＥＬ素子が隣り合うように配置されている、複数の有機ＥＬ素子と、前記複数の行のそれぞれに含まれる有機ＥＬ素子を駆動するための行配線を各行に対応させて設けてなる複数の行配線と、前記複数の列のそれぞれに含まれる有機ＥＬ素子を駆動するために、表示データに応じた電流を流す列配線を各列に対応させて設けてなる複数の列配線と、前記複数の行配線を順次選択し、第１の所定の期間の間、前記第１色の有機ＥＬ素子を駆動する第１の行配線を選択して外部電源または接地端子に電気的に接続し、第１の所定期間に次ぐ第２の所定の期間の間、前記第２色の有機ＥＬ素子を駆動する第２の行配線を選択して外部電源または接地端子に電気的に接続し、前記第１の所定の期間と前記第２の所定の期間とを異なる長さの期間にすることができる選択手段とを備えるカラー有機ＥＬ表示装置が提供される。
【００１３】
このカラー有機ＥＬ表示装置において、前記複数の有機ＥＬ素子は、第３色に発光する有機ＥＬ素子をさらに含み、前記選択手段は、前記第２の所定期間に次ぐ第３の所定の期間の間、前記第３色の有機ＥＬ素子を駆動する第３の行配線を外部電源または接地端子に電気的に接続し、前記第３の所定の期間を、前記第１の所定の期間とも前記第２の所定の期間とも異なる長さの期間にすることができる。
【００１４】
さらに、本発明においては、第１色に発光する有機ＥＬ素子と第２色に発光する有機ＥＬ素子とを少なくとも含み、複数の行および複数の列に対応させてマトリクス状に配置され、該行のそれぞれと該列のそれぞれとには、発光色が異なる有機ＥＬ素子が隣り合うように配置されている、複数の有機ＥＬ素子と、前記複数の行のある行に含まれる前記第１色の有機ＥＬ素子を駆動するための第１の行配線と、当該行に含まれる前記第２色の有機ＥＬ素子を駆動するための第２の行配線とを含む行配線群を各行に対応させて設けてなる複数の行配線群と、前記複数の列のそれぞれに含まれる有機ＥＬ素子を駆動するために、表示データに応じた電流を流す列配線を各列に対応させて設けてなる複数の列配線と、前記複数の行配線群のそれぞれの群を、始期および終期をずらして重複する群選択期間を有するように順次選択し、該群選択期間中の第１の所定の期間の間、選択された行配線群の第１の行配線を外部電源または接地端子に電気的に接続し、該群選択期間中の第２の所定の期間の間、選択された行配線群の第２の行配線を外部電源または接地端子に電気的に接続し、前記第１の所定の期間と前記第２の所定の期間とを異なる長さの期間にすることができる、選択手段とを含むカラー有機ＥＬ表示装置が提供される。
【００１５】
このカラー有機ＥＬ表示装置において、前記複数の有機ＥＬ素子は、第３の発光色の有機ＥＬ素子をさらに含み、前記複数の行配線群の前記行配線群は、前記行に含まれる前記第３色の有機ＥＬ素子を駆動するための第３の行配線をさらに含み、前記複数の列配線の前記列配線は、前記列に含まれる前記第３色の有機ＥＬ素子にも表示データに応じた電流を流すものであり、前記選択手段は、該群選択期間中の第３の所定の期間の間、選択された行配線群の第３の行配線を外部電源または接地端子に電気的に接続するものであり、前記選択手段は、前記第３の所定の期間を、前記第１の所定の期間とも前記第２の所定の期間とも異なる長さの期間にすることができ、前記第１色、第２色、第３色には、赤、緑、青を含むことが好適である。
【００１６】
このカラー有機ＥＬ表示装置においては、前記選択手段は、前記複数の列配線の少なくとも何れかの列配線のそれぞれにより駆動される少なくともいくつかの有機ＥＬ素子を駆動するための各行配線を、互いに重複する期間がないように外部電源または接地端子に電気的に接続するものとすることがさらに好適である。
【００１７】
さらに、本発明において、第１色に発光する有機ＥＬ素子と第２色に発光する有機ＥＬ素子とを少なくとも含み、複数の行および複数の列に対応させてマトリクス状に配置され、該行のそれぞれと該列のそれぞれとには、発光色が異なる有機ＥＬ素子が隣り合うように配置されている、複数の有機ＥＬ素子と、前記複数の行のある行に含まれる前記第１色の有機ＥＬ素子を駆動するための第１の行配線と、当該行に含まれる前記第２色の有機ＥＬ素子を駆動するための第２の行配線とを含む行配線群を各行に対応させて有している複数の行配線群と、前記複数の列のそれぞれに含まれる有機ＥＬ素子を駆動するために、表示データに応じた電流を流す列配線を各列に対応させて有している複数の列配線と、前記複数の行配線群の異なる少なくとも二つの行配線群において、各行配線群に含まれ同じ発光色の有機ＥＬ素子を駆動する行配線を同時に選択して、外部電源または接地端子に電気的に接続し当該発光色の有機ＥＬ素子を二つの行配線において同時に発光させ、他の発光色の有機ＥＬ素子を駆動する複数の行配線は同時には選択せず、該他の発光色の有機ＥＬ素子は同時に一つ行配線のみで発光させる選択手段とを含む、カラー有機ＥＬ表示装置が提供されることができる。
【００１８】
本発明のカラー有機ＥＬ表示装置において、前記複数の列配線のそれぞれに接続され、前記表示データに応じた電流を流すための複数の表示電流源をさらに有し、前記複数の表示電流源のそれぞれは、発光色が異なる有機ＥＬ素子に対して、少なくとも最も明るく発光すべき表示データに対しては同一の電圧源に基づく電流を流すものとすることが好適である。
【発明の効果】
【００１９】
本発明のカラー有機ＥＬ表示装置によれば、有機ＥＬ素子のＲとＧとＢのそれぞれの輝度のバランスを、各色の素子を駆動するための駆動電流を流している期間を調整することにより調整することができる。これによって、発光色別の電源回路を設けることなく単一の電源を用いた場合であっても、同じ輝度データに対する各発光色の輝度を調整してカラーバランスやホワイトバランスを調整することと、電源の利用効率が改善され消費電力を低減することとが両立できる。また、カラーバランスやホワイトバランスの点ではなく、各発光色の有機ＥＬ素子の発光寿命にあわせて、上述の期間を調整することができる。
【発明を実施するための最良の形態】
【００２０】
［実施の形態１］
本発明の第１の実施形態を図１、図２に示す。
図１は、本実施の形態のカラー有機ＥＬ表示装置１の一部分の電気的な構成を示す構成図である。従来の例として図５に示したカラー有機ＥＬ表示装置５と比較して、Ｒ、Ｇ、Ｂの各有機ＥＬ素子１０の並び方が変更されている。つまり、複数ある行のうち、同一の行には同じ発光色の有機ＥＬ素子が隣り合うように配置され、複数ある列のうち、同一の列には異なる発光色の有機ＥＬ素子が隣り合うように配置されている。図示しないが、本実施の形態の有機ＥＬ表示装置においては、各有機ＥＬ素子は、発光色にかかわらず、発光部分の面積が等しくなるように作製されている。本明細書においては、各色の有機ＥＬ素子１０Ｒ、１０Ｇ，１０Ｂの符号に添え字として行番号と列番号の数字を必要に応じて付す。本実施の形態においては、第１行目、第２行目、第３行目において、それぞれ、Ｒの有機ＥＬ素子１０Ｒ11と１０Ｒ12、Ｇの有機ＥＬ素子１０Ｇ21と１０Ｇ22、Ｂの有機ＥＬ素子１０Ｂ31と１０Ｂ32が隣り合うように配置されている。第１列目および第２列目には、ともに、Ｒ，Ｇ，Ｂの有機ＥＬ素子１０Ｒ、１０Ｇ，１０Ｂがこの順に有機ＥＬ素子１０Ｒ11、１０Ｇ21，１０Ｂ31、１０Ｒ41、１０Ｇ51，１０Ｂ61…と繰り返し並び、異なる発光色のものが隣り合う様に配置される。各有機ＥＬ素子１０は、電気回路においてはダイオード記号１１により示す。
【００２１】
複数の行のそれぞれに含まれる有機ＥＬ素子１０は、各行に対応させて備えられる行配線１３、１４、１５により駆動される。また、複数の列のそれぞれに含まれる有機ＥＬ素子１０は、表示データに応じた電流を流す、各列に対応させて備えられる列配線１２により駆動される。
列配線１２のそれぞれには、表示データに応じた電流を流すための表示電流源１６が接続されている。
【００２２】
行配線１３、１４、１５についてみると、例えば、ＳＣＡＮ１の第１行の行配線１３は、Ｒの有機ＥＬ素子１０Ｒ11、１０Ｒ12を駆動し、ＳＣＡＮ２の第２行の行配線１４は、Ｇの有機ＥＬ素子１０Ｇ21、１０Ｇ22…を駆動し、ＳＣＡＮ３の第３行の行配線１５は、Ｂの有機ＥＬ素子１０Ｂ31、１０Ｂ32…を駆動する。
【００２３】
行配線１３、１４、１５のそれぞれは選択手段１８に接続されている。選択手段１８は、前記複数の行配線を順次選択するように、内部に備えられたスイッチ１８２を制御するための制御手段を有している（図示しない）。これにより、選択手段１８は、Ｒの有機ＥＬ素子１０Ｒを駆動するための所定の期間の間、Ｒの有機ＥＬ素子１０Ｒ11、１０Ｒ12…を駆動する行配線であるＳＣＡＮ１の行配線１３を選択して接地端子に電気的に接続し、その所定期間の経過後に、Ｇの有機ＥＬ素子１０Ｇを駆動するための所定の期間の間、Ｇの有機ＥＬ素子１０Ｇ21、１０Ｇ22…を駆動する行配線であるＳＣＡＮ２の行配線１４を選択して接地端子に電気的に接続し、さらにその所定期間の経過後に、Ｂの有機ＥＬ素子１０Ｂを駆動するための所定の期間の間、Ｂの有機ＥＬ素子１０Ｂ31、１０Ｂ32…を駆動する行配線であるＳＣＡＮ３の行配線１５を選択して接地端子に電気的に接続する。さらにその後は、ＳＣＡＮ４、ＳＣＡＮ５、ＳＣＡＮ６の列配線１３、１４、１５が順次選択され、すべての行配線が選択されると、再びＳＣＡＮ１の行配線１３から順次選択される。選択されていない行配線は、正電源電位（Ｖcc）に接続されて、その行の発光は抑制される。
【００２４】
選択手段１８によって各行が選択される上記の所定の期間は、発光色により変更可能にされる。つまり、Ｒの有機ＥＬ素子１０Ｒを駆動するための所定の期間と、Ｇの有機ＥＬ素子１０Ｇを駆動するための所定の期間と、Ｂの有機ＥＬ素子１０Ｂを駆動するための所定の期間とは、いずれかの期間、いずれか二つの期間、または全ての期間が異なるものであり得るし、全て同一でもあり得る。これにより、カラーバランスを調整することができる。
【００２５】
図２は、Ｒ、Ｇ、Ｂの各有機ＥＬ素子が異なる電流効率を有する場合の各配線に与える信号のタイミングチャートである。各行配線は論理値がＬＯＷのときに選択となり、その行配線に列配線からの駆動電流が流れる。行配線の選択による走査は、ＳＣＡＮ１、ＳＣＡＮ２、ＳＣＡＮ３、ＳＣＡＮ４…の順に進む。この選択により各列が順次選択されて、有機ＥＬ素子１０Ｒ，１０Ｇ、１０Ｂが接地端子に順に電気的に接続される。このタイミングにあわせて、列配線に接続された電流源１６が駆動電流を流す。ＳＣＡＮ１、ＳＣＡＮ２、ＳＣＡＮ３の行配線１３、１４、１５に対する所定の期間は、電流効率に応じて、良好なカラーバランスが得られるように設定される。図２の最上段の電流源１６の表示データに応じた駆動電流信号２２Ｒ、２２Ｇ、２２Ｇは、同一の電圧源から生成される電流値に応じたものである。図では、１００パーセントの輝度とすべき表示データに応じたデータ信号が記載されている。図示しないが、輝度をより低くすべき表示データに対しては、電流源１６はより小さい電流値を流したり、より短い期間電流を流すようにすることができる。
【００２６】
選択手段１８には、図示しないが、このタイミングを調整するための適当なレジスタ等を備えることができるし、あるいは、図示しないが、選択手段１８の動作を制御するコントロール回路から選択手段１８を制御するためのクロックを調整することによって制御することができる。本実施の形態の有機ＥＬ表示装置においては、これによってＲ、Ｇ、Ｂの各職に対する所定期間を調整し、各色の輝度のバランスを調整することができる。
【００２７】
［実施の形態２］
本発明の第１の実施形態を図３、図４に示す。
図３は、本実施の形態のカラー有機ＥＬ表示装置３の一部分の電気的な構成を示す構成図である。図１に示した実施の形態１のカラー有機ＥＬ表示装置１と比較して、Ｒ、Ｇ、Ｂの各有機ＥＬ素子３０の並び方が変更されている。つまり、複数ある行と列のそれぞれには、発光色が異なる有機ＥＬ素子が隣り合うように配置されていて、例えば、第１列には、有機ＥＬ素子３０が有機ＥＬ素子３０Ｒ11、３０Ｇ12、３０Ｂ13、３０Ｒ14、３０Ｇ15、３０Ｂ16…と並び、第１行には、有機ＥＬ素子３０が有機ＥＬ素子３０Ｒ11、３０Ｂ21、３０Ｇ31…と並んでいる。
【００２８】
行配線３３、３４、３５は、各１行に対応させた行配線群とされており、その第１行の行配線群には、Ｒの有機ＥＬ素子３０Ｒ11、３０Ｒ14…を駆動するための行配線３３（ＳＣＡＮ１）と、Ｇの有機ＥＬ素子３０Ｇ12、３０Ｇ15…を駆動するための行配線３４（ＳＣＡＮ２）と、Ｂの有機ＥＬ素子３０Ｂ13、３０Ｂ16…を駆動するための行配線３５（ＳＣＡＮ３）とが含まれる。また、列のそれぞれには、表示データに応じた電流を流す列配線３２が各列に対応させて設けられている。各有機ＥＬ素子３０は、電気回路においてはダイオード記号３１により示す。複数の列のそれぞれに含まれる有機ＥＬ素子３０は、表示データに応じた電流を流し、各列に対応させて備えられる列配線３２により駆動される。列配線３２のそれぞれには、表示データに応じた電流を流すための表示電流源３６が接続されている。
【００２９】
行配線３３、３４、３５は、３色に対応する３本ずつの行配線群に分けられる。行配線群は、順にＳＣＡＮ１〜３、ＳＣＡＮ４〜６…と行配線を連続する３本ごとにまとめるように構成され、各行配線群がマトリクス状に並べられた有機ＥＬ素子の各行に対応するようにされている。行配線３３、３４、３５のそれぞれは、選択手段３８に接続されている。選択手段３８は、前記複数の行配線を所定のタイミングにより選択するように、内部に備えられたスイッチ３８２を制御する。
【００３０】
選択手段３８によって選択されて、電流が流れる所定の期間は、発光色毎に異なる。つまり、Ｒの有機ＥＬ素子１０Ｒを駆動するための所定の期間と、Ｇの有機ＥＬ素子１０Ｇを駆動するための所定の期間と、Ｂの有機ＥＬ素子１０Ｂを駆動するための所定の期間とは、いずれかの期間、いずれか二つの期間、または全ての期間が異なるものであり得るし、全ての期間が同一であることもあり得る。これにより、カラーバランスを調整することができる。
【００３１】
図４は、Ｒ、Ｇ、Ｂの各色の有機ＥＬ素子が異なる電流効率を有する場合の各配線に与える信号のタイミングチャートである。行配線は論理値ＬＯＷのとき選択されて、その行配線に駆動電流が流れる点は実施の形態１と同様である。行配線３３、３４、３５を順次選択してゆくことによる走査は、ＳＣＡＮ１、ＳＣＡＮ２、ＳＣＡＮ３からなる行配線群（以下、「第１の行配線群」）が期間４２の間選択され、その選択が終わらないうちに、ＳＣＡＮ４、ＳＣＡＮ５、ＳＣＡＮ６からなる行配線群（以下、「第２の行配線群」という）が期間４４の間選択され、というように、行配線群ごとに始期および終期をずらして重複する期間を有するように順次選択されて、駆動電流が流される。各行配線が外部電源または接地端子に電気的に接続されている期間は、その行配線が駆動する有機ＥＬ素子３０を発光させる期間に応じて決定される。例えば、ＳＣＡＮ１の行配線３３は、Ｒの有機ＥＬ素子３０Ｒ11、３０Ｒ14…を駆動するために、長い期間、接地端子に電気的に接続され、ＳＣＡＮ２の行配線３４は、Ｇの有機ＥＬ素子３０Ｇ12、３０Ｇ15…を駆動するために、短い期間、接地端子に電気的に接続され、ＳＣＡＮ３の行配線３５は、Ｂの有機ＥＬ素子３０Ｂ13、３０Ｂ16…を駆動するために、図４に模式的に示された長さの期間、接地端子に電気的に接続される。行配線群を選択する期間（群選択期間）は、期間４４、４６、４８というように重複してもよいが、選択手段３８は、ある列配線により駆動される複数の有機ＥＬ素子について、同時に行配線により駆動されることがないようにスイッチ３８２を制御する。例えば、ＤＡＴＡ２の列配線３２に注目すると、図３に示したように、この列配線３２は、有機ＥＬ素子３０Ｇ12、３０Ｒ22、３０Ｂ32を駆動するが、これらの各有機ＥＬ素子を駆動する行配線３３、３４、３５は、順にＳＣＡＮ２、ＳＣＡＮ４、ＳＣＡＮ９であり、これらの行配線がせんたくされて接地端子に電気的に接続される期間は重複してはいない。
【００３２】
一例として、第２の行配線群の期間４４の開始から終了までの期間の動作を、表示データが１００％の発光輝度のデータである場合について、他の行配線群における動作も含めて説明する。説明は、ＤＡＴＡ１〜３の列配線３２の範囲に付いてのみ行なうが他の列についても同様である。第１の行配線群においては、期間４２の終期までに、ＤＡＴＡ２の列配線３２による駆動電流信号４２Ｇが停止し、ＳＣＡＮ２の行配線３４による有機ＥＬ素子３０Ｇ12の選択が終了する。そして、期間４４が開始する。期間４４においては、第２の行配線群に含まれるＳＣＡＮ４の行配線３３が選択されて、ＤＡＴＡ２の列配線３２によって駆動電流信号４４Ｒが第２行にある有機ＥＬ素子３０Ｒ22に流される。これにより、有機ＥＬ素子３０Ｒ22が点灯を開始する。このときは、第１の行配線群の期間４２の状態を継続しているので、ＤＡＴＡ１、ＤＡＴＡ３の列配線３２は、それぞれ、駆動電流信号４２Ｒと駆動電流信号４４Ｂとを出力し、ＳＣＡＮ１の行配線３３およびＳＣＡＮ３の行配線３５が選択されている。したがって、この期間においては、有機ＥＬ素子３０Ｒ11、３０Ｂ23、３０Ｒ22の画素が点灯していて、同時にＲの有機ＥＬ素子３０が２行で点灯している。
【００３３】
そして、ＤＡＴＡ１、３のそれぞれの列配線３２は駆動電流信号４２Ｒ，４２Ｂを停止させ、ＳＣＡＮ１およびＳＣＡＮ３の選択も終了する。これにより、期間４４が終了する。その後、第２の行配線群に含まれるＳＣＡＮ５、６の行配線３４、３５が選択されて、ＤＡＴＡ３、１の列配線３２からはそれぞれ駆動電流信号４４Ｇ，４４Ｂが出力される。この駆動電流信号４４Ｇ、４４Ｂにより、第２行にある有機ＥＬ素子３０Ｇ23、３０Ｂ21が点灯される。
【００３４】
さらに時間が経過して期間４６が開始する直前になると、期間４４が終期となる前に、ＤＡＴＡ３の列配線３２による駆動電流信号４４Ｇが停止され、ＳＣＡＮ５の行配線３４による選択が終了して有機ＥＬ素子３０Ｇ23は消灯する。そして、ＳＣＡＮ７〜９の行配線３３、３４、３５からなる行配線群（以下、「第３の行配線群」という）に含まれるＳＣＡＮ７の行配線３３が選択されて、ＤＡＴＡ３の列配線３２による駆動電流信号４６Ｒの出力が開始され、第３行にある有機ＥＬ素子３０Ｒ33が点灯を開始する。ＤＡＴＡ１、ＤＡＴＡ２の列配線３２は、駆動電流信号４４Ｂ、４４Ｒを継続して出力し、第２の行配線群に含まれるＳＣＡＮ４の行配線３３およびＳＣＡＮ６の行配線３５は第２行の選択を選択期間４４が終了するまで続けている。これにより、第２の行配線群の期間４４が終了する開始されるまで第２行にある有機ＥＬ素子３０Ｂ21、３０Ｒ22が点灯される。
【００３５】
各行配線３３、３４、３５が選択される期間は、各色の有機ＥＬ素子の電流効率に応じて、良好なカラーバランスが得られるように設定する。図４の各駆動電流信号は、Ｒ，Ｇ，Ｂで同じ電圧源による電流信号である。図示しないが、輝度をより低くすべき表示データに対しては、電流源３６はより小さい電流値を流したり、電流源３６がより短い期間電流を流すようにすることができる点は、実施の形態１と同様である。
【００３６】
以上、本発明の実施の形態につき述べたが、本発明は既述の実施の形態に限定されるものではなく、本発明の技術的思想に基づいて各種の変形、変更および組合わせが可能である。
【図面の簡単な説明】
【００３７】
【図１】本発明の実施形態に係る有機ＥＬ表示装置の電気的な構成を示す構成図である。
【図２】本発明の実施形態における有機ＥＬ表示装置の動作を示すタイミングチャートである。
【図３】本発明の実施形態に係る有機ＥＬ表示装置の電気的な構成を示す構成図である。
【図４】本発明の実施形態における有機ＥＬ表示装置の動作を示すタイミングチャートである。
【図５】従来の有機ＥＬ表示装置の電気的な構成を示す構成図である。
【図６】本発明の実施形態における有機ＥＬ表示装置の動作を示すタイミングチャートである。
【図７】有機ＥＬ素子の電圧−電流特性を示す特性図である。
【符号の説明】
【００３８】
１、３  有機ＥＬ表示装置
１１，３１  ダイオード
１０、３０  有機ＥＬ素子
１２、３２  列配線
１３、１４、１５、３３、３４、３５  行配線
１８、３８  選択手段
５  従来の有機ＥＬ表示装置
５１  ダイオード
５０  有機ＥＬ素子
５２  列配線
５４  行配線
５８  選択手段
【図１】
2006084819.tif 000003
【図２】
2006084819.tif 000004
【図３】
2006084819.tif 000005
【図４】
2006084819.tif 000006
【図５】
2006084819.tif 000007
【図６】
2006084819.tif 000008
【図７】
2006084819.tif 000009